(57)【特許請求の範囲】
【請求項１】
個別に成形した２つの枠要素を備え、第一の枠要素に装着した止水材を第二の枠要素に圧接させた状態で互いに接合することにより構成される分割枠材であって、
前記止水材は、断面が円形状を成し、前記第一の枠要素に設けた収容部に配設されており、
前記第二の枠要素は、前記収容部の開口に対向する部位に湾曲状の凹表面を有し、
前記２つの枠要素は、それぞれ互いに対向する表面に他方に向けて突出する対向ヒレ部を有し、
前記第一の枠要素に設けた第一の対向ヒレ部に前記収容部が形成され、かつ前記第二の枠要素に設けた第二の対向ヒレ部に前記凹表面が形成され、
前記第一の枠要素には、見付け方向に沿った基準面に対して前記収容部が互いに対称の位置となるように前記第一の対向ヒレ部を２つ形成し、かつ前記第二の枠要素には、それぞれの前記第一の対向ヒレ部に対応して前記第二の対向ヒレ部を形成したことを特徴とする分割枠材。
【請求項２】
前記第一の枠要素には、前記第一の対向ヒレ部との間に前記第二の対向ヒレ部の先端部が挿入される係合部が設けられていることを特徴とする請求項１に記載の分割枠材。
【請求項３】
前記第一の対向ヒレ部及び前記第二の対向ヒレ部には、前記収容部に隣接し、かつ前記収容部よりも前記第二の枠要素に近接した部分に相互に当接する支持当接部が設けられていることを特徴とする請求項１に記載の分割枠材。
【請求項４】
前記第一の枠要素及び前記第二の枠要素の少なくとも下端部には、
前記第二の対向ヒレ部の先端部と前記第一の枠要素との間に補助止水材が介在され、かつ前記第一の枠要素及び前記第二の枠要素を互いに近接する方向に押圧するクリップ部材が装着されていることを特徴とする請求項２に記載の分割枠材。
【請求項５】
前記第二の枠要素には、前記第一の対向ヒレ部に係合する外方係合ヒレ部が設けられ、前記外方係合ヒレ部は、前記第二の対向ヒレ部との間に前記第一の対向ヒレ部が挿入される位置に設けられたものであり、
前記クリップ部材は、基部と、前記基部の両端から互いに対向するように延在した一対の挟持片部とを有し、前記基部によって前記第二の対向ヒレ部を覆い、かつ前記一対の挟持片部が前記第一の対向ヒレ部と前記外方係合ヒレ部との係合位置を超えた部分において前記第一の枠要素及び前記第二の枠要素を互いに押圧するように装着されていることを特徴とする請求項４に記載の分割枠材。
【請求項６】
請求項１〜請求項５のいずれかひとつに記載した分割枠材を備えて枠体を構成したことを特徴とする建具。
【発明の詳細な説明】
【技術分野】
【０００１】
本発明は、分割枠材及び建具に関するものである。
【背景技術】
【０００２】
連窓に適用される方立枠や段窓に適用される無目枠には、２つの枠要素を互いに接合することによって構成されたものがある。この種の分割枠材によれば、予めガラス等の面材の縁部に分割した状態の枠要素に装着しておけば、施工現場においては枠要素を互いに接合することで連窓を構成することができ、大きな面材を適用した建具であってもその組立作業の容易化を図ることが可能である。
【０００３】
枠要素の相互間には、止水材が配設されており、躯体側への雨水等の水浸入を防止するようにしている。すなわち、第一の枠要素に止水材を配設するとともに、第二の枠要素において止水材に対向する部位に平面状の圧接面を形成し、２つの枠要素を互いに接合した際に圧接面を止水材の周面に圧接させることによって互いの間の止水性を確保するようにしている（例えば、特許文献１参照）。
【先行技術文献】
【特許文献】
【０００４】
【特許文献１】特開２０１０−２６５６３６号公報
【発明の概要】
【発明が解決しようとする課題】
【０００５】
ところで、枠要素の多くは、アルミニウム合金の押し出し形材によって成形されたものであるが、押し出しの際の精度によっては反りや曲がりが生じる場合がある。特に、大型の建具にあっては、枠要素の長手寸法が大きくなるため、反りや曲がりの影響も大きなものとなり、上述した止水材と圧接面との間に位置ずれを来すおそれがある。従来の分割枠材では、止水材と圧接面との間にわずかでも位置ずれが生じた場合、互いの間の圧接状態が不十分となり、雨水等の水が躯体側へ浸入する原因となり得る。
【０００６】
本発明は、上記実情に鑑みて、２つの枠要素の間の止水性をより確実に確保することのできる分割枠材及び建具を提供することを目的とする。
【課題を解決するための手段】
【０００７】
上記目的を達成するため、本発明に係る分割枠材は、個別に成形した２つの枠要素を備え、第一の枠要素に装着した止水材を第二の枠要素に圧接させた状態で互いに接合することにより構成される分割枠材であって、前記止水材は、断面が円形状を成し、前記第一の枠要素に設けた収容部に配設されており、前記第二の枠要素は、前記収容部の開口に対向する部位に湾曲状の凹表面を有し、前記２つの枠要素は、それぞれ互いに対向する表面に他方に向けて突出する対向ヒレ部を有し、前記第一の枠要素に設けた第一の対向ヒレ部に前記収容部が形成され、かつ前記第二の枠要素に設けた第二の対向ヒレ部に前記凹表面が形成され、前記第一の枠要素には、見付け方向に沿った基準面に対して前記収容部が互いに対称の位置となるように前記第一の対向ヒレ部を２つ形成し、かつ前記第二の枠要素には、それぞれの前記第一の対向ヒレ部に対応して前記第二の対向ヒレ部を形成したことを特徴とする。
【０００８】
この発明によれば、止水材に圧接される凹表面を湾曲状に形成しているため、表面が平面状を成す場合に比べて片当たりするおそれがなく、より広い範囲で止水材に圧接させることが可能となる。従って、反りや曲がりの影響によって止水材と凹表面とに多少の位置ずれがあったとしても互いの圧接状態が維持され、２つの枠要素の間の止水性を確保することができるようになる。
【００１０】
この発明によれば、第一の対向ヒレ部に装着した止水材に第二の対向ヒレ部に設けた凹表面を圧接させるようにしているため、２つの枠要素が開くように力を受けた場合にも止水材と凹表面とが直ちに離隔することはなく、止水性を確保する上で有利となる。
【００１１】
また本発明は、上述した分割枠材において、前記第一の枠要素には、前記第一の対向ヒレ部との間に前記第二の対向ヒレ部の先端部が挿入される係合部が設けられていることを特徴とする。
【００１２】
この発明によれば、２つの枠要素を開くように力が作用した場合に第二の対向ヒレ部の先端部が係合部に当接することにより、２つの枠要素が開く事態を抑えることができる。
【００１３】
また本発明は、上述した分割枠材において、前記第一の対向ヒレ部及び前記第二の対向ヒレ部には、前記収容部に隣接し、かつ前記収容部よりも前記第二の枠要素に近接した部分に相互に当接する支持当接部が設けられていることを特徴とする。
【００１４】
この発明によれば、２つの枠要素を広げるように力が作用した場合に第一の対向ヒレ部と第二の対向ヒレ部とが収容部に近接した支持当接部を介して互いに当接し、この支持当接部が支点となるため、第一対向ヒレ部と第二対向ヒレ部との開き量が小さく抑えられることになる。
【００１６】
この発明によれば、止水材の反発力が互いに相殺されることになり、止水材の反発力が原因となって２つの枠要素が開く事態を招来することがない。
【００１７】
また本発明は、上述した分割枠材において、前記第一の枠要素及び前記第二の枠要素の少なくとも下端部には、前記第二の対向ヒレ部の先端部と前記第一の枠要素との間に補助止水材が介在され、かつ前記第一の枠要素及び前記第二の枠要素を互いに近接する方向に押圧するクリップ部材が装着されていることを特徴とする。
【００１８】
この発明によれば、クリップ部材により補助止水材を介して第二の対向ヒレ部の先端部と第一の枠要素との間が密接されるため、止水性を向上させることができる。
【００１９】
また本発明は、上述した分割枠材において、前記第二の枠要素には、前記第一の対向ヒレ部に係合する外方係合ヒレ部が設けられ、前記外方係合ヒレ部は、前記第二の対向ヒレ部との間に前記第一の対向ヒレ部が挿入される位置に設けられたものであり、前記クリップ部材は、基部と、前記基部の両端から互いに対向するように延在した一対の挟持片部とを有し、前記基部によって前記第二の対向ヒレ部を覆い、かつ前記一対の挟持片部が前記第一の対向ヒレ部と前記外方係合ヒレ部との係合位置を超えた部分において前記第一の枠要素及び前記第二の枠要素を互いに押圧するように装着されていることを特徴とする。
【００２０】
この発明によれば、クリップ部材の挟持片部が第一の対向ヒレ部と外方係合ヒレ部との係合位置を超えた部分において第一の枠要素及び第二の枠要素を互いに押圧するため、外力が加えられた場合にも第一の枠要素及び第二の枠要素が互いに開く事態を防止することができる。
【００２１】
また本発明に係る建具は、上述した分割枠材を備えて枠体を構成したことを特徴とする。
【００２２】
この発明によれば、止水材に圧接される凹表面を湾曲状に形成しているため、表面が平面に比べて片当たりなく、より広い範囲で止水材に圧接されることになる。従って、反りや曲がりの影響によって止水材と凹表面とに多少の位置ずれがあったとしても２つの枠要素の間の止水性を維持することができるようになる。
【発明の効果】
【００２３】
本発明によれば、止水材に圧接される凹表面を湾曲状に形成しているため、表面が平面に比べて片当たりなく、より広い範囲で止水材に圧接されることになる。従って、反りや曲がりの影響によって止水材と凹表面とに多少の位置ずれがあったとしても２つの枠要素の間の止水性を維持することができるようになる。
【図面の簡単な説明】
【００２４】
【図１】図１は、本発明の実施の形態１である分割枠材を適用した建具を室外側から見た図である。
【図２】図２は、図１に示した建具の縦断面図である。
【図３】図３は、図１に示した建具の横断面図である。
【図４】図４は、図１に示した建具に適用する分割枠材の横断面図である。
【図５】図５は、図１に示した建具に適用する分割枠材の分解斜視図である。
【図６】図６は、図４に示した分割枠材の分解図である。
【図７】図７は、図１に示した建具に適用する分割枠材を下端部分で切断した分解横断面図である。
【図８】図８は、図４に示した分割枠材の一方の枠要素を示す要部拡大横断面図である。
【図９】図９は、図１に示した建具に適用する排水路構成材の斜視図である。
【図１０】図１０は、図４に示した分割枠材の要部を示したもので、（ａ）は拡大図、（ｂ）は２つの枠要素が互いに開いた場合の拡大図である。
【図１１】図１１は、図１に示した建具に適用する分割枠材を下端部分で切断した要部拡大横断面図である。
【図１２】図１２は、本発明の実施の形態２である分割枠材を適用した建具を室外側から見た図である。
【図１３】図１３は、図１２に示した建具に適用する分割枠材の斜視図である。
【図１４】図１４は、図１２に示した建具に適用する分割枠材の分解斜視図である。
【図１５】図１５は、図１２に示した建具に適用する分割枠材の一方の枠要素を外表面側から見た図である。
【図１６】図１６は、図１２に示した建具に適用する分割枠材の要部拡大横断面図である。
【図１７】図１７は、図１２に示した建具に適用する分割枠材の要部を示すもので、（ａ）は一方の枠要素と他方の枠要素とを接合させる以前の拡大横断面図、（ｂ）は一方の枠要素と他方の枠要素とを接合させた状態の拡大横断面図である。
【発明を実施するための形態】
【００２５】
以下、添付図面を参照しながら本発明に係る分割枠材及び建具の好適な実施の形態について詳細に説明する。
【００２６】
（実施の形態１）
図１〜図３は、本発明の実施の形態１である分割枠材を適用した建具を示したものである。ここで例示する建具は、ビルのエントランス回りに適用される大型のもので、特に、図１に示すように、枠体１０の内部に４枚のガラス板１１を固定したＦＩＸ窓を例示している。
【００２７】
枠体１０は、左右の縦枠１２の間に分割方立枠２０を配置し、かつ分割方立枠２０とそれぞれの縦枠１２との間に上枠１４、下枠１６及び無目枠１８を架け渡すことによって構成したものである。分割方立枠２０は、左右の縦枠１２に対してそれぞれ平行となるように配設してあり、無目枠１８は、上枠１４及び下枠１６に対してそれぞれ平行となるように配設してある。図２及び図３に示すように、縦枠１２、上枠１４、下枠１６、無目枠１８及び分割方立枠２０には、それぞれの内周側となる部分にガラス収容溝１２ａ，１４ａ，１６ａ，１８ａ，１８ｂ，２０ａ，２０ｂが構成してある。ガラス収容溝１２ａ，１４ａ，１６ａ，１８ａ，１８ｂ，２０ａ，２０ｂは、それぞれバックアップ材３０及びシール材３１を介してガラス板１１の周縁部を収容した状態で固定支持するためのものである。図２からも明らかなように、上枠１４のガラス収容溝１４ａは、上枠１４と一体に成形してあり、無目枠１８においてガラス板１１の上縁部を収容するガラス収容溝１８ｂは、無目枠１８と一体に成形してある。これに対して無目枠１８においてガラス板１１の下縁部を収容するガラス収容溝１８ａ、縦枠１２のガラス収容溝１２ａ、下枠１６のガラス収容溝１６ａ及び分割方立枠２０のガラス収容溝２０ａ，２０ｂは、それぞれ室外側に位置する部分に別体の押縁３２を装着することによって構成してある。
【００２８】
図４〜図８は、上述した建具に適用する分割方立枠２０を示したものである。分割方立枠２０は、個別に成形した左右２つの方立枠要素２０Ａ，２０Ｂを互いに接続することによって構成したものである。それぞれの方立枠要素２０Ａ，２０Ｂは、アルミニウム合金等の金属によって成形した押し出し形材である。本実施の形態１では、それぞれが見込み方向に沿って配置される基板部２０Ａａ，２０Ｂａを有し、一方に設けた連結片２０Ｂｂを介して互いに接合した状態に維持される方立枠要素２０Ａ，２０Ｂを例示している。
【００２９】
ここで、見込み方向とは、図２及び図３中の矢印Ａで示すように、建具の奥行きに沿った方向である。見込み方向に沿った平面については、見込み面と称する場合がある。また、見付け方向とは、上枠１４や下枠１６、無目枠１８等のように水平に沿って配置される部材の場合、見込み方向に直交した上下に沿う方向であり、縦枠１２や分割方立枠２０等のように上下に沿って配置される部材の場合、見込み方向に直交した水平に沿う方向である。見付け方向に沿った平面については、見付け面と称する場合がある。
【００３０】
方立枠要素２０Ａ，２０Ｂの基板部２０Ａａ，２０Ｂａは、図４〜図７に示すように、それぞれ平板状を成し、互いに外表面２０Ａａ１，２０Ｂａ１を介して対向配置されるものである。連結片２０Ｂｂは、一方の方立枠要素２０Ｂの外表面２０Ｂａ１から他方の方立枠要素２０Ａに向けて突出した後、室外側に向けて屈曲したものである。本実施の形態１では、図中の左側に位置する方立枠要素（以下、区別する場合に「左方立枠要素２０Ｂ」という）の基板部２０Ｂａに連結片２０Ｂｂが設けてある。これら２つの方立枠要素２０Ａ，２０Ｂは、連結片２０Ｂｂの屈曲部分を図中の右側に位置する方立枠要素（以下、区別する場合に「右方立枠要素２０Ａ」という）の基板部２０Ａａに当接させ、この状態から右方立枠要素２０Ａの基板部２０Ａａを介して連結片２０Ｂｂに連結ネジ２１を螺合させることによって互いに接合した状態に維持される。
【００３１】
２つの方立枠要素２０Ａ，２０Ｂの基板部２０Ａａ，２０Ｂａには、個々の内表面２０Ａａ２，２０Ｂａ２に角筒部２０Ａｃ，２０Ｂｃ及び押縁装着ヒレ対２０Ａｄ，２０Ｂｄが設けてある。角筒部２０Ａｃ，２０Ｂｃは、基板部２０Ａａ，２０Ｂａにおいて見込み方向の中間となる部分から内表面２０Ａａ２，２０Ｂａ２側に突出した２つの見付け板部２０Ａｃ１，２０Ａｃ２，２０Ｂｃ１，２０Ｂｃ２と、見付け板部２０Ａｃ１，２０Ａｃ２，２０Ｂｃ１，２０Ｂｃ２の突出縁部間を連結するように設けた見込み板部２０Ａｃ３，２０Ａｃ３とを有し、基板部２０Ａａ，２０Ｂａとの間に矩形の中空部を構成するものである。室外側に位置する見付け板部２０Ａｃ１，２０Ｂｃ１には、室外に臨む見付け面に、上述したガラス収容溝２０ａ，２０ｂのシール材３１を保持するための保持溝２０Ａｃ４，２０Ａｃ４が設けてある。押縁装着ヒレ対２０Ａｄ，２０Ｂｄは、上述した押縁３２を装着するためのもので、外方押縁ヒレ部２０Ａｄ１，２０Ｂｄ１と内方押縁ヒレ部２０Ａｄ２，２０Ｂｄ２とを有している。外方押縁ヒレ部２０Ａｄ１，２０Ｂｄ１は、基板部２０Ａａ，２０Ｂａの室外側に位置する縁部から内周側に向けて突出した後、室内側に向けて屈曲したものである。外方押縁ヒレ部２０Ａｄ１，２０Ｂｄ１の内周側への突出寸法は、角筒部２０Ａｃ，２０Ｂｃよりも小さく設定してある。内方押縁ヒレ部２０Ａｄ２，２０Ｂｄ２は、外方押縁ヒレ部２０Ａｄ１，２０Ｂｄ１と角筒部２０Ａｃ，２０Ｂｃとの間となる部分から内周側に向けて突出した後、室外側に向けて屈曲したものである。内方押縁ヒレ部２０Ａｄ２，２０Ｂｄ２の内周側への突出寸法は、外方押縁ヒレ部２０Ａｄ１，２０Ｂｄ１よりも小さく設定してある。
【００３２】
また、右方立枠要素２０Ａの基板部（以下、区別する場合に「右方基板部２０Ａａ」という）には、内方突起２０Ａｅ、右内方係合ヒレ部２０Ａｆ及び右中間係合ヒレ部２０Ａｇが設けてあり、左方立枠要素２０Ｂの基板部（以下、区別する場合に「左方基板部２０Ｂａ」という）には、内方突起受け２０Ｂｅ、左内方係合ヒレ部２０Ｂｆ及び左中間係合ヒレ部２０Ｂｇが設けてある。
【００３３】
内方突起２０Ａｅは、右方基板部２０Ａａの室内側に位置する縁部から左方基板部２０Ｂａに向けて突出した部分である。右内方係合ヒレ部２０Ａｆ及び右中間係合ヒレ部２０Ａｇは、右方基板部２０Ａａの外表面２０Ａａ１から左方基板部２０Ｂａに向けて突出した薄板状部分である。右内方係合ヒレ部２０Ａｆ及び右中間係合ヒレ部２０Ａｇには、室内に臨む見付け面にそれぞれ係合突起２０Ａｆ１，２０Ａｇ１が設けてある。右内方係合ヒレ部２０Ａｆは、内方突起２０Ａｅよりも室外側となる部位に設けてあり、右中間係合ヒレ部２０Ａｇは、室内側の見付け板部２０Ａｃ１よりもわずかに室外側となる部位に設けてある。
【００３４】
内方突起受け２０Ｂｅは、左方基板部２０Ｂａの室内側に位置する縁部から右方基板部２０Ａａに向けて突出した部分であり、突出端部に受凹部２０Ｂｅ１を有している。受凹部２０Ｂｅ１は、連結片２０Ｂｂを介して２つの方立枠要素２０Ａ，２０Ｂを接合する際に右方基板部２０Ａａの内方突起２０Ａｅを収容し、方立枠要素２０Ａ，２０Ｂの見込み方向に沿った相対移動を規制するものである。左内方係合ヒレ部２０Ｂｆ及び左中間係合ヒレ部２０Ｂｇは、左方基板部２０Ｂａの外表面２０Ｂａ１から右方基板部２０Ａａに向けて突出した薄板状部分である。左内方係合ヒレ部２０Ｂｆ及び左中間係合ヒレ部２０Ｂｇには、室外に臨む見付け面にそれぞれ係合突起２０Ｂｆ１，２０Ｂｇ１が設けてある。左内方係合ヒレ部２０Ｂｆは、右内方係合ヒレ部２０Ａｆよりもわずかに室内側となる部位に設けてあり、左中間係合ヒレ部２０Ｂｇは、右中間係合ヒレ部２０Ａｇよりもわずかに室内側となる部位に設けてある。
【００３５】
さらに、右方基板部２０Ａａ及び左方基板部２０Ｂａには、それぞれ２つの対向ヒレ部２０Ａｈ，２０Ａｊ，２０Ｂｈ，２０Ｂｊが設けてあるとともに、右方基板部２０Ａａには係合部２０Ａｋ，２０Ａｍが設けてあり、左方基板部２０Ｂａには左外方係合ヒレ部２０Ｂｋが設けてある。
【００３６】
対向ヒレ部２０Ａｈ，２０Ａｊ，２０Ｂｈ，２０Ｂｊは、それぞれの基板部２０Ａａ，２０Ｂａの外表面２０Ａａ１，２０Ｂａ１から他方に向けて突出したもので、個々の基板部２０Ａａ，２０Ｂａにおいて角筒部２０Ａｃ，２０Ｂｃよりも室外側となる部位に設けてある。より具体的に説明すると、右方基板部２０Ａａの２つの対向ヒレ部（以下、区別する場合に「右方対向ヒレ部２０Ａｈ，２０Ａｊ」という）は、外方押縁ヒレ部２０Ａｄ１と内方押縁ヒレ部２０Ａｄ２との間に位置する部位に設けたもの（以下、特に区別する場合に「右外方対向ヒレ部２０Ａｈ」という）と、室外側の見付け板部２０Ａｃ１よりもわずかに室外側となる部位に設けたもの（以下、区別する場合に「右内方対向ヒレ部２０Ａｊ」という）とを有している。左方基板部２０Ｂａの２つの対向ヒレ部は（以下、区別する場合に「左方対向ヒレ部２０Ｂｈ，２０Ｂｊ」という）、右外方対向ヒレ部２０Ａｈよりもわずかに室外側となる部位に設けたもの（以下、特に区別する場合に「左外方対向ヒレ部２０Ｂｈ」という）と、右内方対向ヒレ部２０Ａｊよりもわずかに室内側となる部位に設けたもの（以下、区別する場合に「左内方対向ヒレ部２０Ｂｊ」という）とを有している。
【００３７】
右方対向ヒレ部２０Ａｈ，２０Ａｊは、それぞれ先端部に対して基端部の板厚が大きくなるように構成してあり、個々の基端部に収容部２０Ａｈ１，２０Ａｊ１を有している。収容部２０Ａｈ１，２０Ａｊ１は、止水材２２を装着するための空所である。本実施の形態１では、断面が円形の収容部２０Ａｈ１，２０Ａｊ１が設けてあり、個々の収容部２０Ａｈ１，２０Ａｊ１に断面が円形状を成す止水材２２を装着することが可能である。止水材２２は、弾性部材によって成形したもので、収容部２０Ａｈ１，２０Ａｊ１の内径よりもわずかに大きい外径を有するように構成してあり、撓めた状態で収容部２０Ａｈ１，２０Ａｊ１に装着してある。右外方対向ヒレ部２０Ａｈに設けた収容部２０Ａｈ１は室外に臨む面に開口し、右内方対向ヒレ部２０Ａｊに設けた収容部２０Ａｊ１は室内に臨む面に開口している。図８に示すように、右外方対向ヒレ部２０Ａｈに設けた収容部２０Ａｈ１の開口する位置と、右内方対向ヒレ部２０Ａｊに設けた収容部２０Ａｊ１の開口する位置とは、見付け方向に沿った仮想の基準面Ｘに対して互いに対称となるように構成してある。
【００３８】
さらに、右外方対向ヒレ部２０Ａｈには、係合突起２０Ａｈ２が設けてある。係合突起２０Ａｈ２は、図８及び図１０に示すように、右外方対向ヒレ部２０Ａｈの室内に臨む見付け面に凹部２０Ａｈ３を設けることによって相対的に突出するように構成したものである。
【００３９】
係合部２０Ａｋ，２０Ａｍは、図４及び図８に示すように、右方基板部２０Ａａにおいて右外方対向ヒレ部２０Ａｈよりも室外側となる部位及び右内方対向ヒレ部２０Ａｊよりも室外側となる部位に設けた突出部である。本実施の形態１では、上述した係合突起２０Ａｈ２と同様、右方基板部２０Ａａの外表面２０Ａａ１に凹部２０Ａｋ１，２０Ａｍ１を設けることによって係合部２０Ａｋ，２０Ａｍが相対的に突出するように構成してある。凹部２０Ａｋ１，２０Ａｍ１の寸法は、対応する左方対向ヒレ部２０Ｂｈ，２０Ｂｊの先端部を収容することのできる大きさに設定してある。
【００４０】
左方対向ヒレ部２０Ｂｈ，２０Ｂｊは、連結片２０Ｂｂを介して２つの方立枠要素２０Ａ，２０Ｂを接合した場合に対応する右方対向ヒレ部２０Ａｈ，２０Ａｊの収容部２０Ａｈ１，２０Ａｊ１をそれぞれ覆い、かつ個々の先端部が右方基板部２０Ａａの凹部２０Ａｋ１，２０Ａｍ１に収容されるように形成したものである。個々の左方対向ヒレ部２０Ｂｈ，２０Ｂｊには、収容部２０Ａｈ１，２０Ａｊ１の開口に対向する部位に凹表面２０Ｂｈ１，２０Ｂｊ１が設けてある。凹表面２０Ｂｈ１，２０Ｂｊ１は、湾曲した凹状に構成したものである。さらに、図１０に示すように、左外方対向ヒレ部２０Ｂｈには、右外方対向ヒレ部２０Ａｈの収容部２０Ａｈ１よりも先端部側に位置する支持当接部２０Ａｈ４に対向するように支持当接部２０Ｂｈ２が突出して設けてある。
【００４１】
左外方係合ヒレ部２０Ｂｋは、左外方対向ヒレ部２０Ｂｈとの間に右外方対向ヒレ部２０Ａｈを挿入することのできる位置から突出した薄板状部分であり、室外に臨む見付け面に係合突起２０Ｂｋ１を有している。
【００４２】
図５〜図８に示すように、２つの方立枠要素２０Ａ，２０Ｂの下端部には、それぞれの外表面２０Ａａ１，２０Ｂａ１に排水路構成材４０Ａ，４０Ｂが配設してある。排水路構成材４０Ａ，４０Ｂは、シリコン製の発泡スポンジ等々、水密性に富む部材によって成形した厚板状部材であり、下方基部４０Ａ１，４０Ｂ１、排出用突起４０Ａ２，４０Ｂ２、水路構成傾斜部４０Ａ３，４０Ｂ３及び上方延在部４０Ａ４，４０Ｂ４を有している。下方基部４０Ａ１，４０Ｂ１は、室外側に位置する外方対向ヒレ部２０Ａｈ，２０Ｂｈと中間係合ヒレ部２０Ａｇ，２０Ｂｇとの間に装着される部分である。排出用突起４０Ａ２，４０Ｂ２は、下方基部４０Ａ１，４０Ｂ１の室外側に位置する上端部から室外側に向けて突出した部分である。水路構成傾斜部４０Ａ３，４０Ｂ３は、排出用突起４０Ａ２，４０Ｂ２の上端から室内側に向けて漸次上方に傾斜するように延在した部分である。上方延在部４０Ａ４，４０Ｂ４は、水路構成傾斜部４０Ａ３，４０Ｂ３から上方に延在し、室内側に位置する内方対向ヒレ部２０Ａｊ，２０Ｂｊと中間係合ヒレ部２０Ａｇ，２０Ｂｇとの間に装着される部分である。
【００４３】
図５に示すように、右方立枠要素２０Ａにおいては、右内方対向ヒレ部２０Ａｊの下端部を切除することによって右外方対向ヒレ部２０Ａｈと右中間係合ヒレ部２０Ａｇとの間に空間が確保してある。排水路構成材４０Ａは、この空間に下方基部４０Ａ１を配置するとともに、上方延在部４０Ａ４を右内方対向ヒレ部２０Ａｊと右中間係合ヒレ部２０Ａｇとの間に配置した状態で右方立枠要素２０Ａに装着してある。右外方対向ヒレ部２０Ａｈにおいて排出用突起４０Ａ２に対応する部位には、排出用開口２０Ａｈ５が設けてある。排出用開口２０Ａｈ５は、右外方対向ヒレ部２０Ａｈと右中間係合ヒレ部２０Ａｇとの間に下方基部４０Ａ１を装着した場合に、排出用突起４０Ａ２の突出端部が外部に突出するとともに、排出用突起４０Ａ２の上面との間に隙間が確保されるように構成してある。
【００４４】
排出用開口２０Ａｈ５を設けることによって分断された収容部２０Ａｈ１の下部には、下方止水材２３を装着するようにしている。下方止水材２３は、上方の収容部２０Ａｈ１に装着した止水材２２と同様、弾性部材によって成形したもので、収容部２０Ａｈ１の内径よりもわずかに大きい外形を有する本体部２３ａと、本体部２３ａの周面から周囲に向けて延在した止水ヒレ部２３ｂとを有している。この下方止水材２３は、止水ヒレ部２３ｂが凹部２０Ａｋ１を覆う状態で、本体部２３ａを撓めて収容部２０Ａｈ１に装着してある。
【００４５】
左方立枠要素２０Ｂにおいては、左内方対向ヒレ部２０Ｂｊの下端部を切除することによって左外方対向ヒレ部２０Ｂｈと左中間係合ヒレ部２０Ｂｇとの間に空間が確保してある。排水路構成材４０Ｂは、この空間に下方基部４０Ｂ１を配置するとともに、上方延在部４０Ｂ４を左内方対向ヒレ部２０Ｂｊと左中間係合ヒレ部２０Ｂｇとの間に配置した状態で左方立枠要素２０Ｂに装着してある。左外方対向ヒレ部２０Ｂｈにおいて排出用突起４０Ｂ２に対応する部位には、排出用開口２０Ｂｈ３が設けてある。排出用開口２０Ｂｈ３は、左外方対向ヒレ部２０Ｂｈと左中間係合ヒレ部２０Ｂｇとの間に下方基部４０Ｂ１を装着した場合に、排出用突起４０Ｂ２の突出端部が外部に突出するとともに、排出用突起４０Ｂ２の上面との間に隙間が確保されるように構成してある。
【００４６】
上記のように構成した分割方立枠２０では、２つの方立枠要素２０Ａ，２０Ｂを互いに接合し、右方立枠要素２０Ａの内方突起２０Ａｅを左方立枠要素２０Ｂの内方突起受け２０Ｂｅに収容させると、図４に示すように、右方立枠要素２０Ａの右内方係合ヒレ部２０Ａｆ及び右中間係合ヒレ部２０Ａｇがそれぞれ係合突起２０Ａｆ１，２０Ａｇ１，２０Ｂｆ１，２０Ｂｇ１を介して左方立枠要素２０Ｂの左内方係合ヒレ部２０Ｂｆ及び左中間係合ヒレ部２０Ｂｇに係合されるとともに、右外方対向ヒレ部２０Ａｈが係合突起２０Ａｈ２，２０Ｂｋ１を介して左外方係合ヒレ部２０Ｂｋに係合され、互いに離反する方向の移動が阻止される。
【００４７】
また、右方対向ヒレ部２０Ａｈ，２０Ａｊに装着した止水材２２及び下方止水材２３に対して左方対向ヒレ部２０Ｂｈ，２０Ｂｊが圧接された状態となり、２つの方立枠要素２０Ａ，２０Ｂの間の止水性が確保される。ここで、この分割方立枠２０では、見付け方向に沿った基準面Ｘに対して対称となるように右方対向ヒレ部２０Ａｈ，２０Ａｊに止水材２２，２３を配設するようにしている。従って、それぞれの方立枠要素２０Ａ，２０Ｂに作用する止水材２２，２３の反発力が相殺されることになり、止水材２２，２３の反発力が原因となって２つの方立枠要素２０Ａ，２０Ｂが互いに開く事態を招来することがない。しかも、図１０に示すように、止水材２２，２３に圧接される凹表面２０Ｂｈ１，２０Ｂｊ１を湾曲の凹状に形成しているため、表面が平面状を成す場合に比べて片当たりするおそれがなく、より広い範囲で止水材２２，２３の周面に圧接させることが可能となる。従って、反りや曲がりの影響によって止水材２２，２３と凹表面２０Ｂｈ１，２０Ｂｊ１と間に多少の位置ずれがあったとしても、凹表面２０Ｂｈ１，２０Ｂｊ１と止水材２２，２３との圧接状態が維持され、２つの方立枠要素２０Ａ，２０Ｂの間の止水性を確保することができるようになる。
【００４８】
ところで、上述した分割方立枠２０にあっては、ガラス板１１に風圧が加わると、２つの方立枠要素２０Ａ，２０Ｂの室外側に位置する部分が互いに開くように力を受けることになる。しかしながら、この分割方立枠２０によれば、図１０の（ａ）に示すように、２つの方立枠要素２０Ａ，２０Ｂを接合した際に、右方立枠要素２０Ａに設けた係合部２０Ａｋ，２０Ａｍと右方対向ヒレ部２０Ａｈ，２０Ａｊとの間に、左方対向ヒレ部２０Ｂｈ，２０Ｂｊの先端部が挿入された状態となる。従って、この状態から図１０の（ｂ）に示すように、２つの方立枠要素２０Ａ，２０Ｂの室外側に位置する部分が互いに開くように力を受けた場合にも、左方対向ヒレ部２０Ｂｈ，２０Ｂｊの先端部が係合部２０Ａｋ，２０Ａｍに当接することになる。これにより、２つの方立枠要素２０Ａ，２０Ｂが互いに開く事態を抑えることができるようになる。
【００４９】
しかも、上述の分割方立枠２０では、それぞれの方立枠要素２０Ａ，２０Ｂに対向ヒレ部２０Ａｈ，２０Ａｊ，２０Ｂｈ，２０Ｂｊを設け、右方対向ヒレ部２０Ａｈ，２０Ａｊに装着した止水材２２，２３に左方対向ヒレ部２０Ｂｈ，２０Ｂｊに設けた凹表面２０Ｂｈ１，２０Ｂｊ１を圧接させるようにしている。従って、仮に２つの方立枠要素２０Ａ，２０Ｂの室外側に位置する部分が開いたとしても、止水材２２，２３と凹表面２０Ｂｈ１，２０Ｂｊ１とが直ちに離隔することはなく、止水性を確保する上で有利となる。
【００５０】
さらに、上述の分割方立枠２０では、室外側に設けた右外方対向ヒレ部２０Ａｈと左外方対向ヒレ部２０Ｂｈとの間に支持当接部２０Ａｈ４及び支持当接部２０Ｂｈ２を設けるようにしている。これらの支持当接部２０Ａｈ４，２０Ｂｈ２は、２つの方立枠要素２０Ａ，２０Ｂの室外側に位置する部分が互いに開いた場合に右外方対向ヒレ部２０Ａｈの収容部２０Ａｈ１よりも先端部側に位置する部分において互いに当接するものである。従って、仮に２つの方立枠要素２０Ａ，２０Ｂの室外側に位置する部分が開いたとしても、右外方対向ヒレ部２０Ａｈと左外方対向ヒレ部２０Ｂｈとの開き量が小さく抑えられることになり、凹表面２０Ｂｈ１と止水材２２，２３との圧接状態が維持されるため、止水性に大きな影響を与えるおそれがない。
【００５１】
またさらに、分割方立枠２０の下端部においては、それぞれの外表面２０Ａａ１，２０Ｂａ１に装着した排水路構成材４０Ａ，４０Ｂが互いに圧接されることになるため、外方対向ヒレ部２０Ａｈ，２０Ｂｈと中間係合ヒレ部２０Ａｇ，２０Ｂｇとの間に排出用開口２０Ａｈ５，２０Ｂｈ３が下端となる排水通路が構成されることになる。従って、仮に外方対向ヒレ部２０Ａｈ，２０Ｂｈの間から室内側に雨水等の水が浸入したとしても、浸入した水は、排水通路によって下方に案内され、排出用開口２０Ａｈ５，２０Ｂｈ３を介して室外に排出されることになる。しかも、排出用開口２０Ａｈ５，２０Ｂｈ３よりも下方においては、収容部２０Ａｈ１に止水ヒレ部２３ｂを有した下方止水材２３を配設している。下方止水材２３の止水ヒレ部２３ｂは、凹部２０Ａｋ１を覆う状態で収容部２０Ａｈ１に装着されたものであるため、図１１に示すように、左右の方立枠要素２０Ａ，２０Ｂを接合した場合に、左方立枠要素２０Ｂの左外方対向ヒレ部２０Ｂｈを介して凹部２０Ａｋ１の表面に圧接された状態となり、排出用開口２０Ａｈ５，２０Ｂｈ３から排出された水が再び室内側に浸入する事態をより確実に防止することができる。
【００５２】
なお、分割枠材の下端部に排水通路を設ける場合に上述した実施の形態１では、排出用開口２０Ａｈ５，２０Ｂｈ３よりも下方となる部位に止水ヒレ部２３ｂを有した下方止水材２３を装着するようにしているが、止水ヒレ部を有していない止水材を適用しても良い。止水ヒレ部２３ｂを有した下方止水材２３を適用する場合に、止水ヒレ部２３ｂが本体部２３ａと一体に成形されたものを適用しているが、必ずしもこれに限定されず、本体部と別体に成形した止水ヒレ部を凹部２０Ａｋ１に接着するようにしても良い。
【００５３】
（実施の形態２）
図１２は、本発明の実施の形態２である分割枠材を適用した建具を示したものである。ここで例示する建具は、実施の形態１と同様、ビルのエントランス回りに適用される大型のＦＩＸ窓であり、実施の形態１とは分割方立枠の詳細構成のみが異なっている。以下、実施の形態１と異なる構成について詳述し、実施の形態１と同様の構成については同一の符号を付してそれぞれ説明を省略する。
【００５４】
図１２〜図１５に示すように、この建具に適用される分割方立枠２０は、縦枠１２との間の下端に配置される巾木１９の下端よりも下方に突出する長さを有している。分割方立枠２０において巾木１９よりも下方に突出した部分は、建具が設置された場合、地中に埋設されることになる。
【００５５】
また、実施の形態２の２つの方立枠要素２０Ａ，２０Ｂでは、外方押縁ヒレ部２０Ａｄ１，２０Ｂｄ１の下端部が切除してあるとともに、さらにその下半部においては基板部２０Ａａ，２０Ｂａにおいて外方対向ヒレ部２０Ａｈ，２０Ｂｈよりも室外側となる部分の下端部が切除してある。図１７の（ａ）に示すように、左方立枠要素２０Ｂにおいては、係合部２０Ａｋを形成する場合に設けた凹部２０Ａｋ１を残した状態で基板部２０Ｂａが切除してある。また、排水路構成材４０Ａ，４０Ｂの下方基部４０Ａ１，４０Ｂ１において排出用突起４０Ａ２，４０Ｂ２よりも下方となる部位が切除してある。なお、実施の形態２においては、排出用開口２０Ａｈ５を設けることによって分断された収容部２０Ａｈ１の下部にも、上部と同じ止水材２２を装着するようにしている。
【００５６】
上記のように構成した分割方立枠２０においては、２つの方立枠要素２０Ａ，２０Ｂを互いに接合させる以前に、図１７の（ａ）に示すように、外方押縁ヒレ部２０Ｂｄ１及び基板部２０Ｂａを切除した左方立枠要素２０Ｂの左外方対向ヒレ部２０Ｂｈに対して止水テープ（補助止水材）５０を貼り付けておく。止水テープ５０を貼り付ける位置は、左外方対向ヒレ部２０Ｂｈの室外に臨む見付け面から先端部においてわずかに室内に臨む部分を含んだ部位である。
【００５７】
この状態から２つの方立枠要素２０Ａ，２０Ｂを互いに接合させると、図１３に示すように、右方立枠要素２０Ａの右内方係合ヒレ部２０Ａｆ及び右中間係合ヒレ部２０Ａｇがそれぞれ左方立枠要素２０Ｂの左内方係合ヒレ部２０Ｂｆ及び左中間係合ヒレ部２０Ｂｇに係合されるとともに、右外方対向ヒレ部２０Ａｈが左外方係合ヒレ部２０Ｂｋに係合され、互いに離反する方向の移動が阻止される。このとき、右方対向ヒレ部２０Ａｈ，２０Ａｊに装着した止水材２２に対して左方対向ヒレ部２０Ｂｈ，２０Ｂｊが圧接された状態となり、２つの方立枠要素２０Ａ，２０Ｂの間の止水性が確保される。
【００５８】
また、図１７の（ｂ）に示すように、左外方対向ヒレ部２０Ｂｈの先端部に貼り付けた止水テープ５０が右方立枠要素２０Ａの凹部２０Ａｋ１との間に圧接された状態となり、互いの間の止水性が確保される。なお、左外方対向ヒレ部２０Ｂｈの室外に臨む見付け面に貼り付けた止水テープ５０は、凹部２０Ａｋ１との間に圧接された部分を除いて切除しておくことが好ましい。
【００５９】
さらに、実施の形態２では、図１３、図１５及び図１６に示すように、２つの方立枠要素２０Ａ，２０Ｂの下端部にクリップ部材６０を装着し、これら２つの方立枠要素２０Ａ，２０Ｂの下端部を互いに近接する方向に押圧した状態に保持させるようにしている。クリップ部材６０は、ステンレス鋼材等の金属によって成形したもので、基部６０ａ及び一対の挟持片部６０ｂとを有している。基部６０ａは、平板状を成す部分である。一対の挟持片部６０ｂは、基部６０ａの両端部から互いに同一の方向に向けて湾曲した後、互いに離隔する方向に向けて屈曲したものである。基部６０ａから挟持片部６０ｂの屈曲部分６０ｃまでの寸法は、基部６０ａを左外方対向ヒレ部２０Ｂｈの見付け面に当接させた場合に、右方立枠要素２０Ａの右外方対向ヒレ部２０Ａｈと左方立枠要素２０Ｂの左外方係合ヒレ部２０Ｂｋとの係合位置を超えた部分においてそれぞれの基板部２０Ａａ，２０Ｂａの内表面２０Ａａ２，２０Ｂａ２に当接するように設定してある。
【００６０】
上記のようにして接合された分割方立枠２０においても、実施の形態１で記載した作用効果を奏することができるのはいうまでもない。しかも、上述したように、２つの方立枠要素２０Ａ，２０Ｂの下端部にクリップ部材６０を装着し、これら２つの方立枠要素２０Ａ，２０Ｂを互いに近接する方向に押圧した状態に保持させるようにしている。従って、分割方立枠２０の下端部の止水性がより確実なものとなり、例えば、排出用開口２０Ａｈ５，２０Ｂｈ３から排出された水が再び室内側に浸入する事態をより一層確実に防止することができる。
【００６１】
しかも、クリップ部材の挟持片部は、右方立枠要素２０Ａの右外方対向ヒレ部２０Ａｈと左方立枠要素２０Ｂの左外方係合ヒレ部２０Ｂｋとの係合位置を超えた部分においてそれぞれの基板部２０Ａａ，２０Ｂａの内表面２０Ａａ２，２０Ｂａ２に当接するものであるため、外力が加えられた場合にも２つの方立枠要素２０Ａ，２０Ｂが互いに開く事態を防止することができる。さらに、上述したように、クリップ部材６０が装着される部分は、設置状態において地中となる部分である。従って、建具の外観品質が損なわれるおそれもない。
【００６２】
なお、上述した実施の形態２では、左外方対向ヒレ部２０Ｂｈに止水テープ５０を貼り付けるようにしているが、実施の形態１で適用した止水ヒレ部２３ｂを有する下方止水材２３を右方立枠要素２０Ａの収容部２０Ａｈ１に装着し、止水ヒレ部２３Ｂを左外方対向ヒレ部２０Ｂｈの先端部と右方立枠要素２０Ａの凹部２０Ａｋ１との間に圧接させた上でクリップ部材６０を装着するようにしても良い。
【００６３】
また、上述した実施の形態１及び実施の形態２では、枠体の内部に４枚の固定ガラス板を備えた建具を例示しているが、分割枠材を備えた建具であれば、ガラス板が４枚である必要はなく、またその他の枠を備えたものであっても適用することが可能である。この場合、分割枠材は必ずしも方立枠である必要はなく、無目枠として適用しても良い。さらに、分割枠材の下端部に排水通路を構成するようにしているが、必ずしも排水通路を設ける必要はない。
【符号の説明】
【００６４】
１０  枠体、２０  分割方立枠、２０Ａ  右方立枠要素（第一の枠要素）、２０Ａｈ，２０Ａｊ  右方対向ヒレ部（第一の対向ヒレ部）、２０Ａｈ１，２０Ａｊ１  収容部、２０Ａｈ４，２０Ｂｈ２  支持当接部、２０Ａｋ，２０Ａｍ  係合部、２０Ｂ  左方立枠要素（第二の枠要素）、２０Ｂｈ，２０Ｂｊ  左方対向ヒレ部（第二の対向ヒレ部）、２０Ｂｈ１，２０Ｂｊ１  凹表面、２０Ｂｋ  左外方係合ヒレ部、２２  止水材、５０  止水テープ、６０  クリップ部材、６０ａ  基部、６０ｂ  挟持片部、Ｘ  基準面
【図１】
0006701037.tif 000002
【図２】
0006701037.tif 000003
【図３】
0006701037.tif 000004
【図４】
0006701037.tif 000005
【図５】
0006701037.tif 000006
【図６】
0006701037.tif 000007
【図７】
0006701037.tif 000008
【図８】
0006701037.tif 000009
【図９】
0006701037.tif 000010
【図１０】
0006701037.tif 000011
【図１１】
0006701037.tif 000012
【図１２】
0006701037.tif 000013
【図１３】
0006701037.tif 000014
【図１４】
0006701037.tif 000015
【図１５】
0006701037.tif 000016
【図１６】
0006701037.tif 000017
【図１７】
0006701037.tif 000018